(57)【要約】【課題】操作が簡単で確実に固定できる保持具を提案する。【解決手段】枢軸を支点にして回動可能に支持されるとともに一方の回動に連動させて他方を回動させる開閉式の一対のアーム（１ａ、１ｂ）と、各アーム（１ａ、１ｂ）を相互に接近させる閉姿勢に弾性保持して該アーム（１ａ、１ｂ）の相互間にて固定対象物を挟持させる弾性体（２）と、前記アーム（１ａ、１ｂ）の何れか一方の基部（３）に連係してそのアームを直接回動させるカム（４）とを備えた固定保持具において、前記カム（４）に、アーム（１ａ、１ｂ）の閉姿勢で該アーム（１ａ、１ｂ）に当接して開姿勢へ向かうアームの回動を阻止するストッパー（７）を設ける。【選択図】図１
2006112592.tif 000002
【特許請求の範囲】
【請求項１】
枢軸を支点にして回動可能に支持されるとともに一方の回動に連動させて他方を回動させる開閉式の一対のアームと、各アームを相互に接近させる閉姿勢に弾性保持して該アームの相互間にて固定対象物を挟持させる弾性体と、前記アームの何れか一方の基部に連係してそのアームを直接回動させるカムとを備えた固定保持具であって、
前記カムに、アームの閉姿勢で該アームに当接して開姿勢へ向かうアームの回動を阻止するストッパーを設けたことを特徴とする固定保持具。
【発明の詳細な説明】
【技術分野】
【０００１】
本発明は、振り子のように吊り下げられている対象物を挟み込んで固定するのに適した固定保持具に関するものである。以下、建設現場等において墨出し作業を行う際に用いられる墨出し器を例にとって説明する。
【背景技術】
【０００２】
近年、建築や土木の現場で行われる墨出し作業では、レーザー照射器が使用されてきており、これにより正確でしかも効率的な作業が可能になっている。
【０００３】
レーザー照射器は、レーザー照射源が振り子を介してその内部に回動可能に吊り下げられた構造になっていて、照射器本体が設置される床面の状況にかかわりなく常に一定の方向に向けてレーザービームを照射するもので、照射されたレーザービームは受光器を用いて受光される。
【０００４】
この種の機器は精密機器であることから、とくに、構成部材の破損原因となる振動や衝撃に対しては十分な配慮が必要で照射器そのものを収納するに当たっては、ねじ等のロック手段を用いて振り子の回動を防止するようにしていた（例えば、特許文献１、２参照）。
【０００５】
【特許文献１】特開２００１─３３２４９号公報
【０００６】
【特許文献２】特開２００２─２１３９５５号公報
【０００７】
ところで、上記従来のロック手段は、振り子の固定動作が面倒であり、また、振り子の固定が不安定になること（振り子が固定されているにもかかわらず機器に衝撃が加わった場合に固定が解除されてしまうことがある）、さらに、振り子を支える支持軸に無理な力が加わり軸受けが損傷して作動不良を引き起こす等の不具合を有していた。
【発明の開示】
【発明が解決しようとする課題】
【０００８】
本発明の課題は、振り子のように回動可能に吊り下げられた対象物を簡単な動作で、しかも確実に固定できる新規な固定保持具を提案するところにある。
【課題を解決するための手段】
【０００９】
本発明は、枢軸を支点にして回動可能に支持されるとともに一方の回動に連動させて他方を回動させる開閉式の一対のアームと、各アームを相互に接近させる閉姿勢に弾性保持して該アームの相互間にて固定対象物を挟み込ませる弾性体と、前記アームの何れか一方の基部に連係してそのアームを直接回動させアームを相互に離隔させる開姿勢に保持して固定対象物の挟み込みを解除するカムとを備えた固定保持具であって、
前記カムに、アームの閉姿勢で該アームに当接して開姿勢へ向かうアームの回動を阻止するストッパーを設けたことを特徴とする固定保持具である。
【発明の効果】
【００１０】
固定対象物から突出した軸部等を一対のアームを閉姿勢にして挟み込むことにより固定対象物そのものを簡単に固定することができる。
【００１１】
また、アームの回動に寄与するカムにはストッパーとして機能する突部が設けられており、アームが閉姿勢にあるとき、突部７よってその姿勢が維持されるためアームに所期しない力が作用しても固定が簡単に解除されることがない。
【発明を実施するための最良の形態】
【００１２】
以下、図面を用いて本発明をより具体的に説明する。
図１は本発明にしたがう固定保持具の実施の形態を分解状態で示した図であり、図２（ａ）（ｂ）は固定対象物の固定が解除されている状態（開姿勢）及び固定対象物が固定されている状態（閉姿勢）をそれぞれ示したものである。
【００１３】
図における１ａ、１ｂはアームである。このアーム１ａ、１ｂは枢軸ｓを支点にして回動可能に支持されるもので、アーム１ａの回動に連動させてアーム１ｂを回動させることができるようになっている。
【００１４】
また、２は各アーム１ａ、１ｂを相互に近接させる閉姿勢に弾性保持して該アーム１ａ、１ｂの相互間にて固定対象物を挟持させる弾性体、３はアーム１ａと一体になる基部、４はアーム１ａ、１ｂを開閉するためのカムである。このカム４は回動ロッド４ａを介して摘み４ｂにつながっており、摘み４ｂを時計回り、反時計回りに回動させることで基部３を経由させてアーム１ａを枢軸ｓを支点にして直接回動させる。
【００１５】
５はカム４に設けられた切欠部、６は基部３に設けられたリブ、７は基部３に設けられた突部であって、この突部７はアーム１ａ、１ｂが閉姿勢（固定状態）にあるときカム４の切欠部５に係合してアーム１ａ、１ｂの開方向への回動を阻止するストッパーとして機能する。
【００１６】
固定対象物の固定が解除されている図２（ａ）に示すような状態においては、弾性体２の復元力に抗してカム４が基部３のリブ６を押圧してアーム１ａの限界点まで回動（反時計回りの回動）させており、固定対象物はアーム１ａ、１ｂの相互間にて自由に動くことになる。この時カム４は回動ロッド４ａを固定する固定手段（図示せず）にて固定される。
【００１７】
回動ロッド３ａの固定を解除すると、弾性体２の復元力にてカム４が時計回りに回転し、これに合わせてアーム１ａ、１ｂが相互に接近、閉姿勢に保持され、その間に位置する固定対象物の軸部ｐが図２（ｂ）に示すように挟持される。
【００１８】
アーム１ａ、１ｂが図２（ａ）に示すような閉姿勢にあるときにおいて該アーム１ａ、１ｂに開姿勢に向かわせる所期しない力が作用しても基部３に設けられた凸部７がカム４の切欠部５に係合しているため、アーム１ａ、１ｂの回動は阻止されることとなり確実な固定が可能となる。
【００１９】
上記の構成になる固定保持具を墨出し器として使用されるレーザー照射器に適用した場合、アーム１ａ、１ｂの開放姿勢で該照射器の電源をオンにし、閉姿勢で電源をオフにするように連動させてことが可能で、電源がオフの状態で墨出し器が収納されることを回避することができる。
【産業上の利用可能性】
【００２０】
操作が簡単で確実に固定できる固定保持具を提供できる。
【図面の簡単な説明】
【００２１】
【図１】本発明にしたがう固定保持具の実施の形態を示した図である。
【図２】（ａ）（ｂ）は図１に示した固定保持具の使用状況を示した図である。
【符号の説明】
【００２２】
１ａ、１ｂ  アーム
２  弾性体
３  基部
４  カム
４ａ  回転ロッド
４ｂ  摘み
５  切欠部
６  リブ
７  突部
【図１】
2006112592.tif 000003
【図２】
2006112592.tif 000004